(57)【要約】【課題】  従来のチューブ容器は、その内容物を使い切ってしまうと、再充填できる構造となっていなかったので、一回限りの使用で廃棄され、燃焼時に有害ガスを発生するごみとなっていた。また、同様の構造的な理由により、空の容器として製造されたものに、使う人が自由に何でも好きなものを入れて、使い終わったら洗浄してまた使うというように、純粋に容器としての使い方ができなかった。【解決手段】  チューブ容器の胴部３の両端のうちの一方に、内容物を容器から押し出すための吐出口１と吐出口キャップ１ａを設ける。そして吐出口１とは反対側のチューブ容器の端に、内容物を容器に充填するための広口の開口部を有する注入口２と注入口キャップ２ｂを設ける。【選択図】  図１
0003101529.tif 000002
【実用新案登録請求の範囲】
【請求項１】
（イ）チューブ式の容器であり、その胴部３の両端のうちの一方に、内容物を容器から押し出すための吐出口１と吐出口キャップ１ａを設ける。
（ロ）吐出口１とは反対側の胴部３の端に、内容物を容器に充填するための広口の開口部を有する注入口２と注入口キャップ２ｂを設ける。
但し、吐出口１とは内容物を押し出すための隙間ということなので、入れる内容物やその容器の使用方法により、吐出口を様々な形にしたもの、その内径を目薬の点眼容器のように針先ほどの幅に狭くしたり，広めにしたもの、あるいは、文房具の糊の容器に見られるように、吐出口の先端に内容物がしみ出すような仕組みを取り付ける等の装置が付いたもの、それらは、すべて内容物が通る隙間としては同一の機能なので、全部が吐出口１の表現に含まれるものとする。図面、説明ともに、最も基本的な形態に基づいて、表現しているものである。
また、広口の開口部を有する注入口２というのは、吐出口１とは別に、主に内容物の充填のために設けられる口のことで、その内径の大きさは、内容物が充填しやすい大きさということで、定まったものはない。そして本考案の容器には２つの口が設けられるので、容器の一つの使い方として、注入口２から入れたものを、注入口２から出すということもできるという点で注入口２は吐出口ともなりうるため、注入口兼吐出口と表現しても良いのだが便宜上、注入口２とした。
以上のごとく構成した両端にキャップ付きの口を有するチューブ容器。
【考案の詳細な説明】
【技術分野】
【０００１】本考案は、チューブ容器の、容器としての機能の幅を広げて、チューブ容器を使い捨てではなく、何度でも中の内容物の充填ができる容器とするために、容器の一方の端の内容物を出すキャップ付きの吐出口と，それとは別に、その反対側に設けるキャップ付きの充填用広口注入口に関するものである。
【背景技術】
【０００２】従来よりのチューブ容器は、その中にすでに充填されている製品としての内容物を、吐出口から押し出すという用途で作られて使われており、口が一つしか付いていなかった。
【考案の開示】
【考案が解決しようとする課題】
【０００３】従って、従来のチューブ容器は、その内容物を使い切ってしまうと、同じ内容物を再充填できる構造となっていなかったので、チューブ容器は使いようもなく一回限りで廃棄され、燃焼時に有害ガスを発生するごみとなっていた。【０００４】また、従来よりのチューブ容器は、内容物を再充填できる構造になっていなかったという同じ理由により、空の容器として製造されたものに、使う人が自由に何でも好きなものを入れて用い、使い終わったら洗浄してまた使うというように、純粋に容器としての使い方ができなかった。
本考案は、以上の欠点を解決することを目的とする。
【課題を解決するための手段】
【０００５】本考案を図面について説明すれば
（イ）チューブ容器の胴部３の両端のうちの一方に、内容物を容器から押し出すための吐出口１と吐出口キャップ１ａを設ける。
（ロ）吐出口１とは反対側のチューブ容器の端に、内容物を容器に充填するための広口の開口部を有する注入口２と注入口キャップ２ｂを設ける。
【考案の効果】
【０００６】このように単純な構造で製造するのに安価であるし、その上大きな利点を持っているのだが、まず、本考案による容器に収容された内容物を出すときは、注入口キャップ２ｂがしっかり閉まっている状態を確認して、吐出口キャップ１ａを開け下に向け、チューブの胴部３を圧迫することで吐出口１から押し出すことができる。【０００７】そこで、内容物がなくなるか減ってしまった時には、その内容物を容器に充填することができる。この点が従来のチューブ容器と根本的に異なる優れた点である。【０００８】内容物を補充したい時には、吐出口キャップ１をしっかり閉めてから、注入口キャップ２ｂを上に向けて開け、胴部３の弾力性による復元性を利用し胴部３の適所に手でわずかずつ力を加えながらチューブ内の空間を膨らませたうえで、口広になっている注入口２から内容物を充填することができる。【０００９】このようにして本考案のチューブ容器は何度でも内容物を補填して使用できるので、従来よりの一回限りの使い捨てのチューブ容器に比べて、資源の大きな節約となり、有害ガス発生の元となるごみの量を減らすという点で、社会的、経済的に大きな優位性がある。【００１０】また、本考案によるチューブ容器を、純粋に空の容器として大小さまざまに製造すれば、誰もが自由に様々な用途で様々な内容物を入れて使用することができるし、チューブ容器を透明にして、内部壁面に内容物がたまる隅を作らないで流れるように滑らかにして、洗浄可能でそれが確かめられる構造にすれば、洗浄することによって、一つのチューブ容器で、問題のない限り異種の内容物を収容して長期間使い続けることのできる容器ともなりうる。【００１１】更に、本考案によるチューブ容器は吐出口１だけでなく広口の注入口２を備えていることで、内容物の性状やその出し方によって、広口の注入口２を吐出口として使うこともできる。従ってこの点を最大に利用すれば、本考案によるチューブ容器は、ガラスのびん類に比べてはるかに軽く、形が固定しているプラスチックのボトルに比べて、内容物が減るとそれだけへこんで、がさばらないので、携帯用器として、液体状の物質、粘り気のある物質、液体とある程度の大きさの固形物の交じり合った物質、粒子状、粉末状の物質等、今までのチューブ容器では考えられなかったような様々な物を詰め替えて持ち運ぶのにも便利なのである。【００１２】こうした事は、従来のチューブ容器では成し得なかったことで、チューブ容器の機能を拡大し、使用用途を大幅に広げる、いわば革命的な考案である。
【考案を実施するための最良の形態】
【００１３】本考案によるチューブ容器は、内容物を繰り返し充填して使えるところがポイントなので、内容物を入れる注入口２の内径は、内容物の粘性や、液状のものの中に混入する固形物の大きさなどに依るが、内容物を注入しやすいように、小さな携帯用容器であっても少なくとも２センチメートル以上とする。また注入口キャップ２ｂの外径を胴部３の外径と同じ位にすると、そのキャップを下にして立てた状態で使用できて、円錐形または円筒形のような形になりすっきりと見栄えも良くなる。【００１４】胴部３の素材については、減った内容物を補充するときに、内容物が入りやすいように注入口２の下の容器内部に十分な空洞ができている必要があるので、充填時に、注入口キャップ２ｂを上に向けて開け、胴部３の適当な部分に少し力を加えただけで、素材そのものの弾性による復元力で自然にチューブの中が満タン時のように膨らむような素材であることが望ましい。それには、プラスチック製、ポリエチレン製、ビニール製、ラミネートのものが適当で、金属製のものは、復元性がないので適さない。【００１５】吐出口１は、収容する様々な物質の粘性や性質とその内容物の通常の一回の使用量、使い方などによって様々な形態や内径のものが考えられる。【００１６】吐出口１と吐出口キャップ１ａ、注入口２と注入口キャップ２ｂは、それぞれ機密性を高くしたねじ式での組み合わせが良い。内容物を押し出したり、注入する時、または携帯時等に強い圧力がかかった時に、内容物が漏れ出さないようにしっかり栓がなされていないといけないからである。【００１７】容器を繰り返し使うために、吐出口キャップ１ａと注入口キャップ２ｂをはずしたうえで、内部を洗浄しやすいように、容器内部の壁面を流れるように滑らかにして、内容物が溜まるような隅を作らないことが必要である。【００１８】本考案によるチューブ容器は、筒状の両端に口が開いている形で、２つのキャップを取れば水の通り抜けがいいので、洗浄には適した形になっているが、様々な内容物を入れる純粋な容器として、中に何が入っているか、あるいは、洗浄時に中の状態がどうなっているか一目で分かるように、胴部３を、基本的に、着色するとせざるとにかかわらず、透明にして製造すると良い。
【実施例】
【００１９】旅行やキャンプ用に、歯磨き、シャンプー、ソープ、洗剤、化粧品等を、日常使っている容器のまま持って行くのは重いので、少量のものを買うと、割高になる。ここで、日頃使っているものを詰めて持っていけるような本考案による携帯用のチューブ容器があれば大変便利で安上がりになる。【００２０】また、ピクニックや弁当用に、ソース、しょう油、ケチャップ、ドレッシグ、マヨネーズ、からし等を、いろいろな場合に応じて必要な量を入れて持っていける本考案の携帯用のチューブ容器があれば大変便利である。【００２１】お土産として平たいビニール袋に入って売られている岩海苔やわさび漬けなどは、適当な大きさの本考案のチューブ容器に入れ替えて食卓で用いれば、一人一人が一つのチューブ容器から食べたいだけの量を押し出せばいいので、一人一人に取り分ける必要もないし、小鉢や小瓶に移して皆で箸でつついて食べるとすると、それよりも見栄えが良く衛生的ということになる。特にわさび漬けは鮮度が保てる。塩辛やその他なめ物類にもこのような使い方で本考案の携帯用のチューブ容器を使えば新しい食卓文化となる。この容器はきれいな円筒または円錐形を成すので、注入口キャップ２ｂを下にして置けば、そこを底として食卓上で立てて使えるので見栄えも良い。【００２２】今まで持ち運びずらかったような、味噌汁、吸い物、スープ、お汁粉、杏仁豆腐、あんこ、ジャム、味噌、蜜豆等や、砂糖、小麦粉などの粒状、粉末状のものを入れる容器として、それぞれ適当な大きさの本考案のチューブ容器を使うと運びやすい。特に味噌などは、何回でも詰め替え可能な本考案のチューブ容器に入れて販売されれば、料理の際の使い勝手も良いし持ち運びにも良い。本考案のチューブ容器は、チューブとして内容物を吐出口１から押し出して用いるだけでなく、内容物に大きめの固形物が入っていたり、粉末状のものだったり、中身をすばやく出したかったりする時は、注入口キャップ２ｂを開けてそこから出すこともできるのである。【００２３】油絵の具は大まかに、大、中、小の金属チューブに入って売られているが、大量に使うプロはいざ知らず一般の人たちの多くは、大きなチューブが割安なのを知っていても、中や、たいていは小のチューブを買う。それは割安でも大きなチューブは絵の具箱に入らないし、大きいチューブの絵の具を何色も持ち運ぶのは重くてたいへんだからだ。しかしここで本考案による携帯用のチューブ容器があれば、たいていの人は、大き目の徳用のものを買い、その中身をチューブ容器に移し替えて使うだろう。割安であるし、使い残しの同じメーカーの同じ色のいくつものチューブの絵の具を一つのチューブ容器にまとめることもできるからだ。またパレットに出し過ぎてしまって、あまり使わず混ざらないで残った、まだそのままきれいに使える絵の具は、当然、、従来の金属チューブではチューブに戻せなかったので捨てなければならなかったけれど、本考案による携帯用のチューブ容器に入れて使っているものならば、きれいにぬぐったペインティングナイフでその部分だけをすくって注入口２からチューブ容器に戻すことができるのも大きな利点だ。【００２４】  容器の製造会社は本考案によるチューブ容器を、例えば、極小（���長７ｃｍ）、小（１０ｃｍ）、中（１５ｃｍ）、大（２０ｃｍ）、というような大きさ別に作り、さらにそれぞれの吐出口の内径を、液体用、練り物状の物質用等というように、想定される収容物に応じて２〜３種類にして、かつ、透明な胴部にデザイン的な変化をつけたものをそれぞれに何種類か用意すれば、消費者は今までに述べてきたような様々な用途でそれらの容器を徐々に徐々に使うようなると思われる。【００２５】少量の単位で、使い捨てのチューブ容器あるいはそれに類する容器に、液体または練り物状の物質の製品を入れて販売している企業が、従来の使い捨て容器に代わるものとして本考案によるチューブ容器に切り替え販売すれば、消費者は、次には同じ製品を詰め替え用の徳用袋に入ったもので買うようになる。そのほうが割安だし資源の節約になるからだ。徳用袋は、本考案によるチューブ容器に対応した簡単に詰め替えのできる注ぎ口のついたシンプルで安価なものであるべきだ。こうした購買のサイクルが定着すれば、量的に少ない単位の製品を入れて、一回限りで捨てられていた有害ガスの原因ともなる容器のゴミが、日本中、世界中で、膨大な量の単位で減ることになる。【００２６】例えば事務用品として、チューブ容器に入れられた糊が、日本中、いや、世界中の家庭や、会社で使われている。しかし、それらは使い易さから小さなチューブに入れられており、そのチューブ容器は詰め替えができるものではないので、使い捨てになっている。家庭も会社もその小さな単位での糊を購入しているが、それは半分以上容器を買っているようなものだ。もし糊の製造会社が、糊の出てくる吐出口のついただけのその従来のチューブを、本考案の、後ろに注入口も付いたチューブに変えたらどうだろうか。もちろん、後ろに注入口をつけるだけで、容器の大きさその他の機能は従来どおりでかまわない。そうなると、消費者は同じ商品なら本考案のチューブ入りを買い、糊がなくなれば次回からは糊だけを特用袋入りで買い、中身を、本考案による糊容器に詰め替えて使う。そうすると、特に消費量の多い会社では大変な節約になる。社会全体で考えれば、それによって減るごみの量も少なくない。糊製品製造企業も、数多く作らねばならない小さい容器にかかわるコストがどんどん減れば、それだけ、徳用袋を安くしていける。そうすればさらに消費者は徳用袋を買い、本考案によるチューブ容器を繰り返し使うことが定着していく。企業は、経済性とともに、地球を守る環境に優しい販売形態ということを前面に押し出して宣伝啓蒙していけば、このような形態が確実に普及していくはずである。【００２７】以上のように、大変な資源の節約とごみ減らしにつながっている本考案による容器は、現代の地球が抱えている大きな問題に対する一つの対策になりうる点で、本筋をいっているものであると思うので、各方面でその使い方について十分検討されれば、更に更に多くの用途が見出されるはずである。
【図面の簡単な説明】
【００２８】
【図１】「注入口キャップ２ｂを下にして立てて横から見たときの容器の断面図」
【符号の説明】
【００２９】１    吐出口
１ａ  吐出口キャップ
２    注入口
２ｂ  注入口キャップ
３    胴部
【図１】
0003101529.tif 000003
【手続補正書】
【提出日】平成15年12月10日(2003.12.10)
【手続補正１】
【補正対象書類名】実用新案登録請求の範囲
【補正対象項目名】請求項１
【補正方法】変更
【補正の内容】
【請求項１】
可撓性筒状胴部（３）の一端にキャップ（１ａ）に係合して密封し、内容物を押し出すための吐出口（１）を設け、他端にキャップ（２ｂ）に係合して密封する、内容物の吐出口を兼ねた注入口（２）を設けて構成したチューブ容器
【手続補正２】
【補正対象書類名】明細書
【補正対象項目名】０００５
【補正方法】変更
【補正の内容】
【０００５】  可撓性筒状胴部（３）の一端にキャップ（１ａ）に係合して密封し、内容物を押し出すための吐出口（１）を設け、他端にキャップ（２ｂ）に係合して密封する、内容物の吐出口を兼ねた注入口（２）を設けて構成したチューブ容器を提供することによって問題を解決している。